(57)【要約】【課題】前面パネルの開閉を必要とせず、エアフィルタの着脱操作性の良い空気調和機を提供すること。【解決手段】筐体上面にのみ室内空気の吸い込み口８を設け、吸い込み口８は空気調和機の内部と外部を隔てるエアフィルタ５でのみ覆われ、エアフィルタ５を空気調和機に対し、着脱自在に設けることにより、エアフィルタ５は本体の外部から直接着脱できるので前面パネル４の開閉を必要とせず、エアフィルタ５の着脱操作性も簡単となり、ユーザーがエアフィルタの清掃を容易に行うことができ、空気調和機の効率が落ちることなく、省エネに貢献でき、清潔な状態を保って空調することができる。【選択図】図１
2007003133.tif 000002
【特許請求の範囲】
【請求項１】
空気調和機筐体内部に熱交換器、送風機を有し、前記筐体上面のみに設けた吸い込み口は、前記空気調和機の内部と外部を隔てるエアフィルタでのみ覆われ、前記エアフィルタは前記空気調和機に対し、着脱自在であることを特徴とする空気調和機。
【請求項２】
エアフィルタは少なくとも熱交換器と略平行な部位をもつことを特徴とする請求項１に記載の空気調和機。
【請求項３】
熱交換器の前方或いは後方、またはその両方には、空気調和機筐体との間に空間が設けられ、エアフィルタは、前記空間を埋めるように挿入される形状を有していることを特徴とする請求項１または２に記載の空気調和機。
【請求項４】
エアフィルタ形状を蛇腹形状としたことを特徴とする請求項１〜３のいずれか１項に記載の空気調和機。
【発明の詳細な説明】
【技術分野】
【０００１】
本発明は、室内機にエアフィルタを有する空気調和機に関するものである。
【背景技術】
【０００２】
従来、この種の空気調和機は前面グリル等で覆われた吸い込み口と熱交換器との間にエアフィルタを有している（例えば、特許文献１参照）。
【０００３】
図５は、特許文献１に記載された従来の空気調和機の断面図を示すものである。図５に示すように、前面グリル１０１、エアフィルタ１０２、前面パネル１０３、台枠１０４、送風機であるファン１０５、熱交換機１０６、吹出し口１０７、吸い込み口１０８から構成され、吸い込み口１０８上の前面パネル１０３及び前面グリル１０１から吸い込んだ空気を、エアフィルタ１０２で塵埃を取り除いてから熱交換機１０６で熱交換し、ファン１０５を通して吹出し口１０７から送風する。前面パネル１０３は開閉できるようになっており、実線で示す状態が開けた状態、２点鎖線で示す状態が閉めた状態である。
【０００４】
エアフィルタ１０２の形状については特許文献２にわかりやすい図が記載されており、図６にその図を示す。図６において、エアフィルタ１０２は細い繊維の網で出来ているため、周囲を枠１０２ｃにて補強されており、また内部も横方向および縦方向に走る桟１０２ｄで補強されている。枠１０２ｃにはエアフィルタ１０２を持つためのツマミ１０２ａが設けられていると共に、位置決め用フランジ１０２ｂが下端に２箇所設けられている。
【０００５】
次に操作について、再び図５を用いて説明する。エアフィルタ１０２の装着を行うときには、前面パネル１０３を開けた状態にし、エアフィルタ１０２のツマミ１０２ａを持って、上端を前面グリルのガイド部（図示はされていない）に挿入し、エアフィルタ１０２の下端に設けられた位置決め用フランジ１０２ｂを前面グリル１０１に設けられた位置決め用穴１０１ａに差し込む。そののち、前面パネル１０３を閉じれば装着が完了する。
【０００６】
なお、近年においては、デザイン性向上のため、本特許文献１で示されているような吸入のための吸入桟は前面パネル１０３には設けずフラットなパネルとして構成されており、空気の吸入は上面の前面グリル１０１の桟の部分から行うようになっている。
【特許文献１】特開平６−１３７５８７号公報
【特許文献２】特開平８−１２８７１８号公報
【発明の開示】
【発明が解決しようとする課題】
【０００７】
しかしながら、前記従来の構成では、エアフィルタの着脱のためには、前面パネルを開閉することが必要であるため、その開閉機構を設けねばならないとともに、エアフィルタを前面グリルのガイド部に挿入していってやらねばならず、操作性もよくないというという課題を有していた。
【０００８】
本発明は、前記従来の課題を解決するもので、前面パネルの開閉を必要とせず、エアフィルタの着脱操作性も簡単な空気調和機を提供することを目的とする。
【課題を解決するための手段】
【０００９】
前記従来の課題を解決するために、本発明の空気調和機は、筐体上面にのみ吸い込み口を設け、吸い込み口は空気調和機の内部と外部を隔てるエアフィルタでのみ覆われ、エアフィルタを空気調和機に対し、着脱自在に設けたものである。
【００１０】
これによって、エアフィルタは本体の外部から直接着脱できる構成となり、前面パネルの開閉を必要とせず、エアフィルタの着脱操作性も簡単となる。
【発明の効果】
【００１１】
本発明の空気調和機は、エアフィルタは本体の外部から直接着脱できるので、前面パネルの開閉を必要とせず、エアフィルタの着脱操作性も簡単となり、ユーザーがエアフィルタの清掃を容易に行うことができ、空気調和機の効率が落ちることなく、省エネに貢献でき、清潔な状態を保って空調することができる。
【発明を実施するための最良の形態】
【００１２】
第１の発明は、筐体上面にのみ吸い込み口を設け、吸い込み口は空気調和機の内部と外部を隔てるエアフィルタでのみ覆われ、エアフィルタを空気調和機に対し、着脱自在に設けることにより、エアフィルタの着脱において、前面パネルの開閉の必要がなく、また前面グリルのガイド部に挿入していくという作業もないので、操作性を良くすることができる。
【００１３】
第２の発明は、特に、第１の発明のエアフィルタは少なくとも熱交換器と略平行な部位をもつことにより、エアフィルタの表面積の拡大を図り、そのことにより空気吸入時のエアフィルタでの空気抵抗を少なくするとともに、埃等がエアフィルタ面に付着して目詰まりしていく進行を緩和させ、エアフィルタとして掃除の必要な頻度を少なくでき、操作性を更に良くすることができる。
【００１４】
第３の発明は、特に、第１または第２の発明のエアフィルタは、空気調和機筐体と熱交換器の前方或いは後方、またはその両方との間に設けられた空間を埋めるように挿入される形状を有することにより、エアフィルタの表面積の拡大を図り、そのことにより空気吸入時のエアフィルタでの空気抵抗を少なくするとともに、埃等がエアフィルタ面に付着して目詰まりしていく進行を緩和させ、エアフィルタとして掃除の必要な頻度を少なくでき、操作性を更に良くすることができる。
【００１５】
第４の発明は、特に、第１〜３のいずれか１つの発明のエアフィルタ形状を蛇腹形状とすることにより、エアフィルタの表面積の拡大を図り、そのことにより空気吸入時のエアフィルタでの空気抵抗を少なくするとともに、埃等がエアフィルタ面に付着して目詰まりしていく進行を緩和させ、エアフィルタとして掃除の必要な頻度を少なくでき、操作性を更に良くすることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の断面図、図２は本発明の第１の実施の形態におけるエアフィルタの斜視図を示すものである。
【００１８】
図１において、空気調和機の筐体は台枠１と前面パネル４からなり、筐体の台枠１は送風のためのファン２および熱交換器３を保持するとともにエアフィルタ５を保持するための凸部１ａが設けられており、上部は空気を吸い込む吸い込み口８となっている。また、ラムダ（Λ）状に形成された熱交換器３の前方には外装表面を形成する前面パネル４が設けられており、この前面パネル４は固定であり、従来のように開閉機構は配されていない。またこの前面パネル４の上方にはエアフィルタ５を保持するための凸部４ａが設けられている。
【００１９】
一方、エアフィルタ５には、図１および図２に示すごとく、前方部にＶ字形状部５ａが形成され、熱交換器と略平行な部位をもっている。このＶ字形状を有することでエアフィルタ５の面積を大きくする事が出来、空気吸入時のエアフィルタ５での空気抵抗を少なくするとともに、埃等がエアフィルタ面に付着して目詰まりしていく進行を緩和させ、エアフィルタとして掃除の必要な頻度を少なくできるものである。
【００２０】
また、エアフィルタ５は、空気調和機筐体と熱交換器の前方の間との空間を埋めるように挿入される形状で、筐体の上の吸い込み口８を覆うように、台枠１の凸部１ａおよび前面パネル４の凸部４ａに乗せているだけであるので、エアフィルタ５の着脱はエアフィルタ５を掴んで持ち上げるあるいは本体上面に乗せるという動作だけであり、その操作性は従来に比べ、大幅に向上する。また、従来のように前面パネルの開閉機構も不要であり、コストも安価に提供できるものである。
【００２１】
以上のように、本実施の形態においては、筐体上面にのみ設けた吸い込み口は空気調和機の内部と外部を隔てるエアフィルタでのみ覆われ、エアフィルタを空気調和機に対して着脱自在に設けたことにより、エアフィルタの着脱操作性が非常に良くなる。またさらに、略ラムダ（Λ）形状の熱交換器の前方にエアフィルタをＶ字形状にして配することにより、エアフィルタは熱交換器の前方と空気調和機筐体との間に設けられた空間を埋めるように挿入される形状でかつ少なくとも熱交換器と略平行な部位を有した構成とすることでエアフィルタの表面積の拡大が図れ、エアフィルタでの空気抵抗を少なくするとともに、埃等がエアフィルタ面に付着して目詰まりしていく進行を緩和させ、エアフィルタとして掃除の必要な頻度を少なくできる。
【００２２】
なお、本実施の形態においてエアフィルタの保持を台枠の凸部および前面パネルの凸部にて行なう構成としたが、エアフィルタ側に凸部を設ける事による保持構成等にしてもよいことは言うまでもない。
【００２３】
（実施の形態２）
図３は、本発明の第２の実施の形態における空気調和機の断面図であり、図４は本発明の第２の実施の形態におけるエアフィルタの斜視図を示すものである。
【００２４】
図３において、エアフィルタ５以外は実施の形態１で示した内容と同じであるので、１〜４の説明は省略する。エアフィルタ５は図３および図４に示すごとく、蛇腹状形状に構成されている。この蛇腹形状部５ｂを有することでエアフィルタ５の面積を大きくする事が出来、空気吸入時のエアフィルタ５での空気抵抗を少なくするとともに、埃等がエアフィルタ面に付着して目詰まりしていく進行を緩和させ、エアフィルタとして掃除の必要な頻度を少なくできるものである。
【００２５】
エアフィルタ５の着脱は実施の形態１と同様に、エアフィルタ５を掴んで持ち上げる、あるいは本体上面に乗せるという動作だけであるが、実施の形態１に比べ背の高いＶ字形状部が無く、背の低い蛇腹形状で出来ているので、着脱の際の持ち上げ量が少なくて済み、操作性はさらに向上する。なお、従来のように前面パネルの開閉機構も不要であり、コストも安価に提供できることは実施の形態１と全く同じである。
【産業上の利用可能性】
【００２６】
以上のように、本発明にかかる空気調和機は、前面パネルの開閉の必要がなく、また前面グリルのガイド部に挿入していくという作業をせずに、容易にエアフィルタの着脱が可能となるので、エアフィルタを有する送風機、除湿機、空気清浄機等の用途にも適用できる。
【図面の簡単な説明】
【００２７】
【図１】本発明の実施の形態１における空気調和機の断面図
【図２】本発明の実施の形態１におけるエアフィルタの斜視図
【図３】本発明の実施の形態２における空気調和機の断面図
【図４】本発明の実施の形態２におけるエアフィルタの斜視図
【図５】従来の空気調和機の断面図
【図６】従来のエアフィルタの斜視図
【符号の説明】
【００２８】
１  台枠
１ａ  凸部
２  ファン
３  熱交換器
４  前面パネル
４ａ  凸部
５  エアフィルタ
５ａ  Ｖ字形状部
５ｂ  蛇腹形状部
７  吹出し口
８  吸い込み口
【図１】
2007003133.tif 000003
【図２】
2007003133.tif 000004
【図３】
2007003133.tif 000005
【図４】
2007003133.tif 000006
【図５】
2007003133.tif 000007
【図６】
2007003133.tif 000008